(57)【要約】      （修正有）【課題】作業者一人で短時間に積載物をパレットに固定し、安全に輸送することができるパレット積載物固定ベルトを提供する。【解決手段】パレット上の積載物の周りを一周するように積載物固定ベルトを配置し、固定ベルト端末の締結ベルトをもう一方の端末に設置した金属リングを通過、反転させて締結ベルトと長方形ベルト長手方向に配置したマジックテープ（登録商標）を適正に引締接合する。本考案の積載物固定ベルトは長方形ベルト同士を伸縮性接続ベルトで接合し、且つ長方形ベルトの短手方向にプラスチック板を保持することで積載物を傷つけず、適正なフィット感で引締接合する態様で課題を解決できる。【選択図】図３
0003146468.tif 000002
【実用新案登録請求の範囲】
【請求項１】
四方の縁を３０ｍｍ〜１００ｍｍ幅のベルトを縫合し補強した４００ｍｍ〜７５０ｍｍ×８００ｍｍ〜１２００ｍｍの長方形固定ベルトの複数枚を、長手方向端部同士を長手方向に３０ｍｍ〜１００ｍｍ×１５０ｍｍ〜４００ｍｍの伸縮性ベルトで接続したパレット積載物固定ベルト。
【請求項２】
前記、請求項１記載のパレット積載物固定ベルトで、長方形固定ベルトの四方の縁を補強するベルトの短手方向に、屈曲防止用の厚さ０．５ｍｍ〜３ｍｍのプラスチック板を保持する事を特徴とする請求項１記載のパレット積載物固定ベルト。
【請求項３】
前記、請求項１および２記載のパレット積載物固定ベルトで、パレット積載物固定ベルトの長手方向端末に配置した長方形固定ベルトの長手方向の補強用ベルトと該ベルトに接続する締結用ベルトに接着面が同方向となるようにマジックテープを設置し、パレット積載物固定ベルトのもう一方の端末の長手方向の補強用ベルト上に金属製の輪を保持することを特徴とする請求項１及び２記載のパレット積載物固定ベルト。
【考案の詳細な説明】
【技術分野】
【０００１】本考案は荷物運搬用パレット積載物の荷崩れを防止する固定ベルトに関する。
【背景技術】
【０００２】従来、荷物運搬時のパレット積載物の荷崩れを防止する手段としては、一般には積載物の周囲にストレッチフィルムを幾重にも巻いて荷崩れを防止してきた。ストレッチフィルムは作業時間がかかりすぎることや再利用ができないこと、廃棄で費用がかかり燃焼すると炭酸ガスを排出することから、近年、再利用できる荷崩れ防止用固定ベルトやネットが普及してきた。しかし、形態、重量、運搬距離等が異なる様々な積載物をパレット上に固定することには無理があった。この欠点を改善する事と、積載物を固定及び解消作業が作業者一人で短時間で安全に完了できる手段の提供が望まれていた。
【考案の開示】
【考案が解決しようとする課題】
【０００３】本考案は荷物運搬時の積載物を固定する手段として、ストレッチフィルムに代わる固定手段の提供にある。つまり、積載物固定ベルトがパレット上の積載物を傷つけることなくぴったりとフィットし固定できる事と、積載物固定ベルトを固定する時にベルト短手方向が屈曲して作業効率を下げることを防止する手段の提供にある。
【課題を解決するための手段】
【０００４】上記の課題を解決すべく本考案者らは鋭意検討した結果、上記の課題は次のような手段によって解決することがわかった。
即ち、本考案の積載物固定ベルトをパレット上の積載物の周りを一周させ、締結ベルトでしっかりと固定する。積載物固定ベルトは四方の縁を補強した長方形ベルトの複数枚を長手方向に伸縮性のあるベルトで接続したことと、長方形ベルトの短手方向にプラスチック板を保持したことで、積載物と積載物固定ベルトの適切なフィットが容易となった。また、積載物固定ベルトの長方形ベルトの短手方向にプラスチック板を保持したことは、長方形ベルトの短手方向の屈曲を防止する作用を持ち、伸縮性を保有するベルトの使用と相まって積載物を傷つけることなく取り扱いが簡便で作業効率も上昇した。この作業は作業開始から積載物の固定までを一人で短時間に確実にでき、安全に運搬することができるので上記課題を解決できることがわかった。
【考案の効果】
【０００５】パレットに積載物を固定する手段として、本考案の積載物固定ベルトをパレット上の積載物の周りを一周させ、締結用ベルトを適正に締めて止めれば作業は終了する。積載物固定ベルトは四方を補強した長方形ベルト複数枚を、長手方向に伸縮性接続ベルトで接続したことと、長方形ベルトの短手方向にプラスチック板を保持したことで、取り扱いが簡便で積載物と積載物固定ベルトの適切なフィットが容易になった。また、プラスチック板を保持したことは積載物固定ベルトの短手方向の屈曲を防止する作用により、積載物を傷つけることなく取り扱いが簡単で作業効率が向上した。本考案の積載物固定ベルトを用いることで、従来から行ってきたストレッチフィルムを幾重にも巻く作業時間の短縮と、ストレッチフィルムの廃棄作業の改善と廃棄費用の削減及びストレッチフィルムの焼却処理による炭酸ガスの排出の削減等に結びつけることが可能となる。
【考案を実施するための最良の形態】
【０００６】作業者一人でパレット上の積載物を固定する場合において、図１の積載物固定ベルトをパレット上の積載物の周りを一周させ、積載物固定ベルト端末の締結ベルト３をもう一方の端末に設置された金属リング６を通過させ引締し、締結ベルト上のマジックテープ５−１は長方形バンドの長手方向に設置したマジックテープ５−２に接合する。この際、四方の縁を補強した長方形ベルトの短手方向は、プラスチック板４を保持しているので短手方向の屈曲が少なく、更に伸縮性接続ベルト２を用いているため積載物を傷つけることなく程よくフィットし、積載物を適切に固定できる態様である。また、この作業は作業者一人で短時間に、安全容易に行うことができ、最終的な形態は図３の積載状態となる。
【実施例】
【０００７】以下、本考案を図面を用いて詳細に説明する。
図１は本考案の積載物固定ベルトの立面図である。
長方形ベルト地１の四方の縁を補強ベルト１−１を縫合して長方形ベルトとする。この際、長方形ベルトの短手方向にプラスチック板４を長方形ベルト地と補強ベルト１−１の間に保持させる。次に、長方形ベルトの長手方向端部同士を長手方向に並べて、その間を伸縮性接続ベルト２で短手方向の二か所を接合し、使用するパレットに対応して３５００ｍｍ〜８０００ｍｍの長さに接合する。複数枚の長方形ベルトを接合したら、長手方向最端部の短手方向の両端部に締結用ベルト３を接合する。締結用ベルト３上にはマジックテープ５−１と長方形ベルト最端部の二か所の長手方向にはマジックテープ５−２を設置し、積載物を一周する固定ベルトのもう一方端の長方形ベルトには金属リング６が設置してある。【０００８】図２は本考案の積載物固定ベルトの側面図である。【０００９】図３はパレット上の積載物を本考案の積載物固定ベルトを使用して固定した状態図である。パレット８上の積載物７を固定する際、締結用ベルト３の先端を積載物の間に挟み積載物固定ベルトを仮固定した状態で積載物の周りを一周させる。次いで、挟んでおいた締結用ベルト３を外し、回してきたもう一方端に設置した金属リング６を通過後反転し，引締して締結用ベルト３上のマジックテープ５−１を長方形ベルト上に設置したマジックテープ５−２に適正に接合する。本作業は作業者一人で短時間で容易にできることが大きな特徴である。【００１０】図１から図３の本考案の積載物固定ベルトの材質と寸法について以下に説明する。
長方形ベルト地１は４００ｍｍ〜７５０ｍｍ×８００ｍｍ〜１２００ｍｍの大きさで、布、フィルム、網の何れでも良く、材質はポリエステル、ナイロン、アクリル繊維、ポリ塩化ビニール、ポリエチレン、ポリビニールアルコール等が好ましい。長方形ベルト地１の四方の補強ベルト１−１は幅３０ｍｍ〜１００ｍｍで、ポリエステル、ナイロン、ポリ塩化ビニール等の材質が好ましい。伸縮性接続ベルト２は幅３０ｍｍ〜１００ｍｍ、長さ１５０ｍｍ〜４００ｍｍで、ゴム入りポリエステルベルト、ゴム入りナイロンベルト等が好ましい。締結ベルト３はポリエステル、ナイロン、ポリプロピレン等が好ましく、マジックテープ５−１，５−２はポリプロピレン、ナイロン、ポリエステル等が良い。プラスチック板４は厚さ０．５ｍｍ〜３．０ｍｍで１０ｍｍ〜６０ｍｍ×３５０ｍｍ〜１１００ｍｍの大きさで、ポリ塩化ビニール、ポリエチレン、ポリエステル等が好ましい。金属リング６はＤ型、Ｏ型、□型の何れでも良く、材質はステンレス、鉄に亜鉛メッキ、鉄にニッケルメッキ等を施したものが好ましい態様である。
【産業上の利用可能性】
【００１１】パレットに荷物を積載し運搬する運搬作業者及び運送業界で、積載物固定ベルトで固定作業を行うと、積載物を傷めることなく容易くフィットでき、作業時間も大幅に削減できる。積載物を作業者一人で固定する場合において、従来使用していたストレッチフィルムに代わって本考案の積載物固定ベルトが利用できる。
【図面の簡単な説明】
【００１２】
【図１】積載物固定ベルトの立面図
【図２】積載物固定ベルトの側面図
【図３】パレット上の積載物を積載物固定ベルトを用いて固定する見取り図
【符号の説明】
【００１３】  １        ：長方形ベルト地
１−１    ：補強ベルト
２        ：伸縮性接続ベルト
３        ：締結ベルト
４        ：プラスチック板
５−１    ：マジックテープ
５−２    ：マジックテープ
６        ：金属リング
７        ：積載物
８        ：パレット
【図１】
0003146468.tif 000003
【図２】
0003146468.tif 000004
【図３】
0003146468.tif 000005
【手続補正書】
【提出日】平成20年6月13日(2008.6.13)
【手続補正１】
【補正対象書類名】実用新案登録請求の範囲
【補正対象項目名】請求項３
【補正方法】変更
【補正の内容】
【請求項３】
前記、請求項１及び２記載のパレット積載物固定ベルトで、パレット積載物固定ベルトの長手方向端末に配置した長方形固定ベルトの長手方向の補強用ベルトと該ベルトに接続する締結用ベルトに接着面が同方向となるようにマジックテープ（登録商標）を設置し、パレット積載物固定ベルトのもう一方の端末の長手方向の補強用ベルト上に金属製の輪を保持することを特徴とする請求項１及び２記載のパレット積載物固定ベルト。
【手続補正２】
【補正対象書類名】明細書
【補正対象項目名】０００６
【補正方法】変更
【補正の内容】
【０００６】作業者一人でパレット上の積載物を固定する場合において、図１の積載物固定ベルトをパレット上の積載物の周りを一周させ、積載物固定ベルト端末の締結ベルト３をもう一方の端末に設置された金属リング６を通過させ引締し、締結ベルト上のマジックテープ（登録商標）５−１は長方形バンドの長手方向に設置したマジックテープ（登録商標）５−２に接合する。この際、四方の縁を補強した長方形ベルトの短手方向は、プラスチック板４を保持しているので短手方向の屈曲が少なく、更に伸縮性接続ベルト２を用いているため積載物を傷つけることなく程よくフィットし、積載物を適切に固定できる態様である。また、この作業は作業者一人で短時間に、安全容易に行うことができ、最終的な形態は図３の積載状態となる。
【手続補正３】
【補正対象書類名】明細書
【補正対象項目名】０００７
【補正方法】変更
【補正の内容】
【０００７】以下、本考案を図面を用いて詳細に説明する。図１は本考案の積載物固定ベルトの立面図である。長方形ベルト地１の四方形の縁を補強ベルト１−１を縫合して長方形ベルトとする。この際、長方形ベルトの短手方向にプラスチック板４を長方形ベルト地と補強ベルト１−１の間に保持させる。次に、長方形ベルトの長手方向端部同士を長手方向に並べて、その間を伸縮性接続ベルト２で短手方向の二か所を接合し、使用するパレットに対応して３５００ｍｍ〜８０００ｍｍの長さに接合する。複数枚の長方形ベルトを接合したら、長手方向最端部の短手方向の両端部に締結用ベルト３を接合する。締結用ベルト３上にはマジックテープ（登録商標）５−１と長方形ベルト最端部の二か所の長手方向にはマジックテープ（登録商標）５−２を設置し、積載物を一周する固定ベルトのもう一方端の長方形ベルトには金属リング６が設置してある。
【手続補正４】
【補正対象書類名】明細書
【補正対象項目名】０００９
【補正方法】変更
【補正の内容】
【０００９】図３はパレット上の積載物を本考案の積載物固定ベルトを使用して固定した状態図である。パレット８上の積載物７を固定する際、締結用ベルト３の先端を積載物の間に挟み積載物固定ベルトを仮固定した状態で積載物の周りを一周させる。次いで、挟んでおいた締結用ベルト３を外し、回してきたもう一方端に設置した金属リング６を通過後反転し、引締して締結用ベルト３上のマジックテープ（登録商標）５−１を長方形ベルト上に設置したマジックテープ（登録商標）５−２に適正に接合する。本作業は作業者一人で短時間で容易にできることが大きな特徴である。
【手続補正５】
【補正対象書類名】明細書
【補正対象項目名】００１０
【補正方法】変更
【補正の内容】
【００１０】図１から図３の積載物固定ベルトの材質と寸法について以下に説明する。長方形ベルト地１は４００ｍｍ〜７５０ｍｍ×８００ｍｍ〜１２００ｍｍの大きさで、布、フィルム、網の何れでも良く、材質はポリエステル、ナイロン、アクリル繊維、ポリ塩化ビニール、ポリエチレン、ポリビニールアルコール等が好ましい。長方形ベルト地１の四方の補強ベルト１−１は幅３０ｍｍ〜１００ｍｍで、ポリエステル、ナイロン、ポリ塩化ビニール等の材質が好ましい。伸縮性接続ベルト２は幅３０ｍｍ〜１００ｍｍ、長さ１５０ｍｍ〜４００ｍｍで、ゴム入りポリエステルベルト、ゴム入りナイロンベルト等が好ましい。締結ベルト３はポリエステル、ナイロン、ポリプロピレン等が好ましく、マジックテープ（登録商標）５−１，５−２はポリプロピレン、ナイロン、ポリエステル等が良い。プラスチック板４は厚さ０．５ｍｍ〜３．０ｍｍで１０ｍｍ〜６０ｍｍ×３５０ｍｍ〜１１００ｍｍの大きさで、ポリ塩化ビニール、ポリスチレン、ポリエステル等が好ましい。金属リング６はＤ型、Ｏ型、□型の何れでも良く、材質はステンレス、鉄に亜鉛メッキ、鉄にニッケルメッキ等を施したものが好ましい態様である。
【手続補正６】
【補正対象書類名】明細書
【補正対象項目名】００１３
【補正方法】変更
【補正の内容】
【００１３】１          ：長方形ベルト地１−１      ：補強ベルト２          ：伸縮性接続ベルト３          ：締結ベルト４          ：プラスチック板５−１      ：マジックテープ（登録商標）５−２      ：マジックテープ（登録商標）６          ：金属リング７          ：積載物８          ：パレット
【手続補正書】
【提出日】平成20年8月15日(2008.8.15)
【手続補正１】
【補正対象書類名】実用新案登録請求の範囲
【補正対象項目名】全文
【補正方法】変更
【補正の内容】
【実用新案登録請求の範囲】
【請求項１】
四方の縁を３０ｍｍ〜１００ｍｍ幅のベルトを縫合し補強した４００ｍｍ〜７００ｍｍ×８００ｍｍ〜１２００ｍｍの長方形固定ベルトの複数枚を、長手方向端部同士を長手方向に３０ｍｍ〜１００ｍｍ×１５０ｍｍ〜４００ｍｍの伸縮性ベルトで接続したパレット積載物固定ベルト。
【請求項２】
前記、請求項１記載のパレット積載物固定ベルトで、長方形固定ベルトの四方の縁を補強するベルトの短手方向に、屈曲防止用の厚さ０．５ｍｍ〜３ｍｍのプラスチック板を保持する事を特徴とする請求項１記載のパレット積載物固定ベルト。
【請求項３】
前記、請求項１又は２記載のパレット積載物固定ベルトで、パレット積載物固定ベルトの長手方向端末に配置した長方形固定ベルトの長手方向の補強用ベルトと該ベルトに接続する締結用ベルトに接着面が同方向となるようにマジックテープ（登録商標）を設置し、パレット積載物固定ベルトのもう一方の端末の長手方向の補強用ベルト上に金属製の輪を保持する事を特徴とする請求項１又は２記載のパレット積載物固定ベルト。